(57)【要約】【課題】  原稿からの反射光を受ける反射ミラーの有効反射領域に原稿の読取領域を設定した後に、この読取領域を中心として前記反射ミラーを副走査方向に傾斜可能とすることで、原稿の画像を確実にイメージセンサで読取可能とする画像読取装置を提供することである。【解決手段】  原稿を主走査方向に沿って照射する光源と、前記原稿から反射された反射光を偏向させる複数の反射ミラーと、該複数の反射ミラーによって偏向された反射光を集光し、この集光された反射光を電気信号に変換するイメージセンサとを備え、前記複数の反射ミラーは、前記イメージセンサの読取領域に対応した反射面３１を有し、少なくとも一つの反射ミラーＭ１には、前記反射面３１の一部に光の反射を減らす反射減部３２が設けられると共に、前記反射面３１を副走査方向Ｓ２に対して所定の角度に傾斜可能に保持する角度調整保持手段４０を設けた。【選択図】  図５
2018085675.tif 000002
【特許請求の範囲】
【請求項１】
プラテン上に載置された原稿を主走査方向及び副走査方向に走査して原稿の画像を読み取る読取キャリッジを備えた画像読取装置において、
前記読取キャリッジは、前記原稿を主走査方向に沿って照射する光源と、前記原稿から反射された反射光を偏向させる複数の反射ミラーと、該複数の反射ミラーによって偏向された反射光を集光する集光レンズと、該集光レンズによって集光された反射光を電気信号に変換するイメージセンサと、を備え、
前記複数の反射ミラーは、前記イメージセンサの読取領域に対応した反射面を有し、少なくとも一つの反射ミラーには、前記反射面の一部に光の反射を減らす反射減部が設けられると共に、前記反射面を副走査方向に対して所定の角度に傾斜可能に保持する角度調整保持手段が設けられている画像読取装置。
【請求項２】
前記角度調整保持手段は、前記読取キャリッジ内の所定位置に前記少なくとも一つの反射ミラーを保持するフレームと、
該フレームに設けられ、前記少なくとも一つの反射ミラーの主走査方向の両端部を揺動可能に収容する開口部と、
該開口部内で前記少なくとも一つの反射ミラーの両端部の副走査方向の裏面側中心部を弾性支持する第１バネ部及び前記裏面側中心部から副走査方向に外れた一方の端部を弾性的に支持する第２バネ部を有する弾性部材と、
前記第２バネ部と対向する位置に設けられ、前記少なくとも一つの反射ミラーの両端部の副走査方向の表面の一端を弾性的に傾斜可能に押圧支持する押圧調整部材と、を備えた請求項１に記載の画像読取装置。
【請求項３】
前記角度調整保持手段は、前記原稿からの反射光を最初に受ける反射ミラーに設けられる請求項１に記載の画像読取装置。
【請求項４】
前記押圧調整部材は、前記少なくとも一つの反射ミラーの副走査方向の一端に当接して進退可能な調整ネジであり、該調整ネジの進退に応じて、前記少なくとも一つの反射ミラーが副走査方向に対して所定の傾斜角度に保持される請求項２に記載の画像読取装置。
【請求項５】
前記反射面は、前記イメージセンサの読取領域で画像データとして有効とする有効読取領域に対応した有効反射領域と、この有効反射領域の外周に沿った拡張反射領域とを有し、該拡張反射領域の一部に前記反射減部が設けられている請求項１に記載の画像読取装置。
【請求項６】
前記反射減部は、前記拡張反射領域の主走査方向又は副走査方向の一部に設けられる請求項１に記載の画像読取装置。
【発明の詳細な説明】
【技術分野】
【０００１】
本発明はスキャナ、複写機、ファクシミリ等の光学機器において、原稿の画像を走査し、その画像を光学的に読み取る画像読取装置に関する。
【背景技術】
【０００２】
一般にスキャナや複写機などに搭載されている画像読取装置は、原稿を載置する透過型のプラテンと、このプラテンに沿って原稿の一端と他端との間を往復移動可能な読取キャリッジと、この読取キャリッジを原稿の読取面に沿って走査することで原稿の画像を読み取る機構とを備えている。前記読取キャリッジは、原稿に対して読取光を照射する光源と、原稿からの反射光を集光レンズに向けて偏向する複数の反射ミラーと、集光レンズを通過した反射光を受光し、光電変換を行う撮像素子（イメージセンサ）とを備え、前記プラテンを副走査方向に沿って所定ストロークで移動させながら読み取るように構成されている。
【０００３】
小規模オフィスや家庭内での使用を目的としたスキャナや複写機などにあっては、装置全体のサイズダウンを達成するために、画像読取装置を構成している読取キャリッジの小型化が要求されるようになってきている。このような小型化に対応した読取キャリッジであっても、複数の反射ミラーによって光束の反射を繰り返し、集光レンズで光束の集約後にイメージセンサに原稿からの光を導く縮小光学タイプのものでは、画質の面から一定以上の光路長（共役長）を確保する必要がある。
【０００４】
そのため、従来の読取キャリッジでは複数の反射ミラーを用いて反射回数を増やすように構成にすることで、前記共役長を確保しつつ小型化を図っていた。
【０００５】
しかしながら、複数の反射ミラーによる反射回数の増加によって、限られたスペース内での反射エリアを広く設定することが困難となり、有効読取範囲の縁端部までの距離に対応した幅の反射ミラーを用いて構成する必要があった。また、設置する場所の環境変化や連続動作等に伴って読取キャリッジ内部の温度が上昇し、反射ミラー、集光レンズあるいはイメージセンサ等の取付位置や角度が変化することで、原稿からイメージセンサに至るまでの光路（光軸位置）にずれが生じる場合があった。その結果、原稿の画像が取得できなかったり、カラーで読み取る際に、ＲＧＢのデータの一部が不鮮明になったり、欠けたりするといった不具合が生じる原因となっていた。
【０００６】
上記問題を改善するために、特許文献１では、プラテン上に載置した原稿の有効読取領域から外れた位置に読取ずれを検出するための目印を予め印刷あるいは貼り付け、検出した画像信号を用いて反射ミラー等の光学部材の位置ずれを事前に検知する方法が提案されている。
【０００７】
また、読取キャリッジの小型化に関しては、特許文献２に開示されているように、一枚の反射ミラーで複数回反射させることで、反射ミラーの枚数を少なくした構成のものもある。さらに、特許文献３では一部の反射ミラーに回転機構を設け、この回転機構によって、原稿からの反射光の角度を微調整するものもある。例えば、原稿が載置されるプラテン上の読取位置において、主走査方向への読取パターンが延在する調整用チャートを載置し、イメージセンサによって読み取られる前記調整用チャートの幾何特性を基に、複数の反射ミラーやスリット部の位置あるいは光学系のいずれかを調整している。
【先行技術文献】
【特許文献】
【０００８】
【特許文献１】特開２００１−７９７０号公報
【特許文献２】特開２０１３−５１５５５号公報
【特許文献３】特開２０１１−１６００７０号公報
【発明の概要】
【発明が解決しようとする課題】
【０００９】
上記特許文献１では、検出した画像を基にして、読取画像の主走査方向や副走査方向の位置ずれや光軸の傾き、あるいは倍率やピントずれ等の各要素を自己診断することを目的としている。しかしながら、この診断方法にあっては、原稿面から反射された光が複数の反射ミラーを介してイメージセンサで検出するまでの間で、前記反射光がどの反射ミラーのどの位置で反射されているかの判別は困難となっており、反射ミラーの有効な読取領域からはみ出さない程度の端部位置で反射されていても正常に読み取られてしまう。このため、振動や温度変化等の環境条件の変動によって、前記反射ミラーの位置が少しでもずれてしまうと、原稿の読取面からの反射光の一部が欠けるなどして画像が適正に読み取れなくなるといった問題が生じるおそれがあった。
【００１０】
特許文献２では、一枚の反射ミラーで複数回反射させるように構成されているため、各反射ミラーに対する精度が要求され、それに伴う反射ミラー部品の選定や取付調整などに多くの工数が必要とされている。前記反射ミラーの取り付け角度の調整に関しては、特許文献３に開示されているように、反射ミラーの回転機構を用いることで可能となるが、この回転機構はＣＣＤ等のイメージセンサに入光させる直前の反射ミラーに設けられているため、この回転機構を備えた反射ミラーに到達される前の複数の反射によって光軸がずれている場合がある。この光軸のずれが大き過ぎると、前記回転機構の範囲内での調整ができないおそれがある。
【００１１】
また、従来の原稿の読取位置調整方法にあっては、プラテン上に読み取り調整用のパターンが印刷された調整用チャートを載置し、この調整用チャートのパターンが複数の反射ミラーを介してイメージセンサで確実に読み取り可能かどうかを測ることによって行われる。その際、複数の反射ミラーの少なくとも一つの反射ミラーに前記回転機構を設けることで、原稿の読取位置にずれが生じた場合であっても、画像が正常に読取可能となるように、イメージセンサに入光させる副走査方向の反射光の傾きを微調整することができる。前記原稿の読取位置のずれは、原稿の読取高さ位置によって生じる。この読取高さ位置は、特にブック型原稿を広げて載置した際に変動することが多い。
【００１２】
そこで本発明は、原稿からの反射光を受ける反射ミラーの有効反射領域に原稿の読取領域を設定した後に、この読取領域を中心として前記反射ミラーを副走査方向に傾斜可能とすることで、原稿の画像を確実にイメージセンサで読取可能とする画像読取装置を提供することを目的とする。
【課題を解決するための手段】
【００１３】
上記課題を解決するために、本発明の画像読取装置は、プラテン上に載置された原稿を主走査方向及び副走査方向に走査して原稿の画像を読み取る読取キャリッジを備えた画像読取装置において、前記読取キャリッジは、前記原稿を主走査方向に沿って照射する光源と、前記原稿から反射された反射光を偏向させる複数の反射ミラーと、該複数の反射ミラーによって偏向された反射光を集光する集光レンズと、該集光レンズによって集光された反射光を電気信号に変換するイメージセンサと、を備え、前記複数の反射ミラーは、前記イメージセンサの読取領域に対応した反射面を有し、少なくとも一つの反射ミラーには、前記反射面の一部に光の反射を減らす反射減部が設けられると共に、前記反射面を副走査方向に対して所定の角度に傾斜可能に保持する角度調整保持手段が設けられる。
【発明の効果】
【００１４】
本発明の画像読取装置によれば、反射面の一部に光の反射を減らす反射減部を設けると共に、前記反射面を副走査方向に対して所定の角度に傾斜可能に保持する角度調整保持手段を設けたことによって、原稿からの反射光が前記反射面の副走査方向の端部側にずれたことが判明した場合に、原稿からの反射光が前記反射減部に掛からないように前記反射面の中央部で確実に反射させるように微調整することができる。
【図面の簡単な説明】
【００１５】
【図１】本発明の画像読取装置の全体構成を示す断面図である。
【図２】読取キャリッジの内部構成を示す断面図である。
【図３】上記読取キャリッジ内の反射ミラーの配置構成示す概念図である。
【図４】反射ミラーの斜視図である。
【図５】角度調整保持手段を示す斜視図である。
【図６】角度調整保持手段の要部を示す斜視図である。
【図７】反射ミラーを弾性支持する弾性部材の斜視図である。
【図８】角度調整保持手段の断面図である。
【図９】従来の反射ミラーの構成を示す概念図である。
【図１０】上記図９の構成によって検出される出力レベル信号のグラフである。
【図１１】本発明の反射ミラーの構成を示す概念図である。
【図１２】上記図１１の構成によって検出される出力レベル信号のグラフである。
【発明を実施するための形態】
【００１６】
以下、図面を参照して、本発明に係る画像読取装置の実施形態を詳細に説明する。図１は本実施形態の画像読取装置の全体構成を示す断面図である。この画像読取装置は以下の画像読取ユニットＡと、これに搭載した原稿給送ユニットＢとから構成されている。
【００１７】
前記画像読取ユニットＡは、装置ハウジング１に第１プラテン２と、第２プラテン３を備えている。この第１プラテン２と第２プラテン３は、ガラスなどの透明基材で形成され、装置ハウジング１の天部に固定されている。そして第１プラテン２は手置きセットする使用可能な原稿の最大寸法サイズに形成され、第２プラテン３は所定速度で移動する原稿を読み取るようにその使用可能な原稿の最大幅サイズに形成されている。前記第１プラテン２及び第２プラテン３は互いに並設され、その下方をガイドシャフトやガイドレール等のガイド部材１２によってガイドされ、プラテン面に沿って平行に移動可能な読取キャリッジ６が配設されている。
【００１８】
前記原稿給送ユニットＢは、第１プラテン２と第２プラテン３とを覆うようにその上方に配置され、前記第２プラテン３に原稿を給送するリードローラ２１及び搬出ローラ２２を備えている。また、前記リードローラ２１の上流側には原稿を積載収納する給紙スタッカ２３と、この給紙スタッカ２３に積載された原稿を１枚ずつ分離給送する給紙ローラ２４と、分離給送された原稿の先端をスキュー修正するレジストローラ対２５が配置されている。さらに、給紙スタッカ２３から第２プラテン３に原稿を案内する給紙経路２６には、第２プラテン３に至る原稿の先端を検知するリードセンサＳ１が設けられると共に、第２プラテン３の上面にはバックアップローラ２７が配置されている。前記バックアップローラ２７は、リードローラ２１と同一周速度で回転し第２プラテン３上に原稿をフィットさせ、プラテン下流に配置された搬出ローラ２２へ搬送する。また、前記搬出ローラ２２の下流側には、排紙ローラ２８と給紙スタッカ２３の下方に上下並列に配置された排紙スタッカ２９が配置され、この排紙スタッカ２９の底部には第１プラテン２の上に載置する原稿を押圧支持するプラテンカバー５が設けられている。
【００１９】
上記構成からなる画像読取装置は、画像読取ユニットＡに設置されている装置パネルや接続される端末装置（ＰＣ）の画面上で原稿固定読取モード（フラットベットモード）が操作者により選択される。第１プラテン２上にセットされた原稿面を読み取る場合には、操作者が画像読取ユニットＡの装置ハウジング１に開閉自在に据え付けられた原稿給送ユニットＢを上方に引き上げ、第１プラテン２を開放した状態で原稿を載置し、この原稿をプラテンカバー５で覆う。そして、前記原稿の下方を読取キャリッジ６がガイド部材１２に沿って移動することによって読取動作が行われる。
【００２０】
また、原稿流し読取モード（シートスルーモード）が操作者により選択され、原稿給装ユニットＢに備わる第２プラテン３を介して搬送される原稿を読み取る場合には、前記読取キャリッジ６が第２プラテン３の読取位置に移動して停止し、この停止した位置で原稿給送ユニットＢによって搬送される原稿の読取動作が行われる。
【００２１】
次に、図２及び図３に基づいて読取キャリッジ６の構成について説明する。読取キャリッジ６は、耐熱性樹脂や金属板などで形成されたキャリッジフレーム１１内に照明ユニット９、反射ミラー群Ｍ、集光レンズ７及びイメージセンサ８等からなる光学部材３０を備えている。前記キャリッジフレーム１１には、第１プラテン２及び第２プラテン３と対峙する天板部に前記照明ユニット９が組み込まれている。
【００２２】
前記照明ユニット９は、主走査方向Ｓ１に延びる読取開口１０を隔てて対峙する一対の光源９ａ，９ｂと、この光源９ａ，９ｂをキャリッジフレーム１１内に保持するホルダ１３とを備える。
【００２３】
前記光学部材３０は、照明ユニット９から出射され、原稿Ｐの読取面Ｐ１によって反射された反射光Ｌ１を第２反射ミラーＭ２に向かう反射光Ｌ２として偏向させる第１反射ミラーＭ１及び第２反射ミラーＭ２乃至第６反射ミラーＭ６によって構成される反射ミラー群Ｍと、この反射ミラー群Ｍを経て順次偏向された前記読取面Ｐ１からの反射光を集光する集光レンズ７と、この集光レンズ７によって結像された光信号を電気信号に変換するイメージセンサ８とを備える。
【００２４】
前記イメージセンサ８は、ＣＣＤ又はＣＭＯＳ等の半導体素子によって構成され、前記集光レンズ７を通して入光される原稿Ｐの読取面Ｐ１からの反射光を電気信号に変換する。本実施形態では、前記原稿Ｐがカラー画像に対応するように、赤（Red），緑（Green），青（Blue）の各色のカラーフィルタを有する半導体素子と、カラーフィルタを有さない黒白(Black and White)の信号を読み取る半導体素子をライン状に４列配置している。このイメージセンサ８は、前記キャリッジフレーム１１内に固定されている基板１４に配置されている。
【００２５】
図３は本実施形態における反射ミラー群Ｍの立体配置構成を示したものである。図２に示したように、一対の光源９ａ，９ｂから原稿Ｐの読取面Ｐ１に向けて出射した光は、読取面Ｐ１で散乱反射し、その一部が下向き（第１反射ミラーＭ１）に向かう。この散乱反射した光のうち、第１反射ミラーＭ１の反射面３１に所定の角度で入光する光を反射光Ｌ１として表す。第１反射ミラーＭ１に入光した反射光Ｌ１は第２反射ミラーＭ２に向かって偏向され、その後第２反射ミラーＭ２から第６反射ミラーＭ６に向けて偏向が繰り返えされる。前記第１反射ミラーＭ１は、主走査方向Ｓ１の長さが前記読取開口１０の長さと略対応しており、副走査方向Ｓ２の長さが読取開口１０の幅よりも数倍程度余裕を持たせて形成されている。この第１反射ミラーＭ１によって偏向された光Ｌ２は、反射を繰り返すことによって主走査方向Ｓ１の光は順次集光されるため、第２反射ミラーから第６反射ミラーに掛けて反射面の主走査方向Ｓ１の長さを順次短くすることができる。
【００２６】
前記第１反射ミラーＭ１乃至第６反射ミラーＭ６は、ガラスや樹脂等の矩形状の透明基材３３と、この透明基材３３の表面に蒸着される金属膜３４とによって形成されている。前記金属膜３４は、アルミニウム等の光反射率の高い材料が用いられる。
【００２７】
前記第１反射ミラーＭ１は、反射面３１の略中央部に前記原稿Ｐの読取面Ｐ１からの反射光Ｌ１が入光するように取付位置や角度が設定される。そして、イメージセンサ８が配置された基板１４を位置調整することで、読取面Ｐ１から前記イメージセンサ８に至る光路の光軸調整を行う。実際には、前記反射面３１の中央部から多少ずれた位置で反射光が入光したとしても、反射面３１から外側にはみ出さない限り前記イメージセンサ８で読み取ることが可能である。しかしながら、前記原稿Ｐの読取面Ｐ１からの反射光Ｌ１が第１反射ミラーＭ１の反射面３１の縁部近傍で反射した場合、複数の反射ミラー（Ｍ１〜Ｍ６）、集光レンズ７、イメージセンサ８からなる光学部材３０の形状、配置及び取付角度等の僅かな変化で、前記読取面Ｐ１の端部が正確に読み取れなかったり、画像の一部が欠落したりするといった問題が生じる。
【００２８】
上記問題を解決する手段として、図４に示すように、前記第１反射ミラーＭ１の反射面３１を有効反射領域Ｅ１と、この有効反射領域Ｅ１から外側に拡張させた拡張反射領域Ｅ２とによって形成した。前記有効反射領域Ｅ１は、前記イメージセンサ８によって原稿Ｐの読取面Ｐ１の画像を有効に読み取ることが可能な有効読取領域に対応している。通常、第１プラテン２に載置される原稿、及び第２プラテン３を移動する原稿の主走査方向Ｓ１に対し、広い領域を読取ることができるように、反射ミラー群Ｍ、集光レンズ７、イメージセンサ８が読取キャリッジ６内に配置される。そして、読取領域の中で、原稿の最大幅サイズに合わせた領域を選択し、画像データとして採用している。この画像データとして選択する領域が、前記有効読取領域に対応している。また、前記拡張反射領域Ｅ２の角部には、前記原稿Ｐの読取面Ｐ１からの反射光を前記有効反射領域Ｅ１よりも減らすための反射減部３２を設けた。
【００２９】
前記反射面３１は、有効反射領域Ｅ１及び拡張反射領域Ｅ２を含めた透明基材３３の表面に金属膜３４を一様に蒸着して形成される。図４に示した実施形態では、前記４か所の反射減部３２が金属膜３４の蒸着がされていない透明基材３３の露出面となっているが、この露出面に前記金属膜３４よりも低い反射率あるいは遮光性を有したシート部材を貼付したものであってもよい。
【００３０】
前記原稿Ｐの読取面Ｐ１からの反射光Ｌ１が前記有効反射領域Ｅ１内に収まっていれば、前記イメージセンサ８の有効読取領域内での読取処理が正常に行われ、前記反射光Ｌ１の一部が前記反射減部３２のいずれかに掛かっていれば読取不良が発生していると判定される。
【００３１】
本実施形態では、図５に示すように、前記原稿Ｐからの反射光Ｌ１を最初に受ける第１反射ミラーＭ１に対して、反射角度の微調整が可能な角度調整保持手段４０を設けた。前記第１反射ミラーＭ１は、主走査方向Ｓ１に延びる反射面３１を有するミラー本体４１と、このミラー本体４１の主走査方向Ｓ１の両端部から張り出す保持部４１ａとによって一体形成されている。前記ミラー本体４１には、反射面３１の四隅に反射減部３２が設定されている。このように、少なくとも原稿Ｐからの反射光Ｌ１を最初に受ける第１反射ミラーＭ１に対して角度調整保持手段４０を設けることで、初期調整を容易且つ適正に行うことができ、第２反射ミラーＭ２から第６反射ミラーＭ６を経てイメージセンサ８に至る反射光を有効読取領域内に収束させることが可能となる。なお、前記角度調整保持手段４０及び反射減部３２を第２反射ミラーＭ２乃至第６反射ミラーＭ６のいずれにも適用することができる。
【００３２】
前記角度調整保持手段４０は、図５に示したように、前記ミラー本体４１の主走査方向Ｓ１の両端側に対向して設けられる対向面４２ａを有する一対のフレーム４２と、前記対向面４２ａに設けられ、前記保持部４１ａが揺動可能に収容される開口部４４と、前記保持部４１ａに装着され、前記開口部４４内で弾性的に係合する弾性部材４３と、前記対向面４２ａから前記ミラー本体４１側に直交して延びる突起片５４と、この突起片５４を介して前記保持部４１ａの一端を前記弾性部材４３に抗して進退可能に押圧する押圧調整部材（調整ネジ）４５とを備えている。
【００３３】
前記開口部４４には、前記保持部４１ａの副走査方向Ｓ２の中央部に当接する上部接点５３が円弧状に突出形成されている。この上部接点５３は、前記対向面４２ａと面一に設けられ、前記保持部４１ａの反射面３１側の中央部を点状に支持している。また、前記上部接点５３から副走査方向Ｓ２に離れ、この離れた位置から主走査方向Ｓ１に延びる前記突起片５４の先端側には、前記調整ネジ４５が進退可能に配設され、図８に示すように、この調整ネジ４５の先端部４５ａで前記保持部４１ａの副走査方向Ｓ２の端部を当接支持している。
【００３４】
前記弾性部材４３は、図５乃至図７に示したように、前記保持部４１ａの長手方向に面した側面４１ｂに接合される取付部４６と、この取付部４６から前記反射面３１と反対側に面した保持部４１ａの裏面に沿って延び、その先で弾性的に折り返される２つ折りの板バネ部４７とを有している。前記板バネ部４７は、スリット４８を介して分離された幅広の第１バネ部４９と、幅狭の第２バネ部５０とを有している。
【００３５】
前記第１バネ部４９は、前記保持部４１ａの副走査方向Ｓ２の幅方向の中央部までをカバーし、前記第２バネ部５０は前記保持部４１ａの端部に当接するように形成される。また、前記第１バネ部４９及び第２バネ部５０の表面には、前記保持部４１ａの裏面をそれぞれ点状に支持する第１下部接点５１及び第２下部接点５２が設けられている。前記第１下部接点５１は、前記開口部４４の上部接点５３と対向する位置に設けられている。また、前記第２下部接点５２は、前記突起片５４の先端部に設けられる調整ネジ４５と対向する位置に設けられている。
【００３６】
上述したように、前記上部接点５３は対向面４２ａと面一であるのに対し、前記調整ネジ４５は、前記対向面４２ａと直交する方向に延びる突起片５４の先端側に設けられているため、第１下部接点５１より第２下部接点５２の方が、ミラー本体４１の主走査方向の中央に近い側に配置される。
【００３７】
図８（ａ）に示すように、前記ミラー本体４１は、副走査方向Ｓ２の中心部Ｏが前記第１下部接点５１と上部接点５３とによって弾性的に対向支持されている。また、前記第２下部接点５２と調整ネジ４５の先端部４５ａとによって前記保持部４１ａの副走査方向Ｓ２の一端が弾性的に対向支持されている。この図８（ａ）は、前記保持部４１ａがフレーム４２の開口部４４内で平衡状態となるように、ミラー本体４１全体が前記第１下部接点５１と上部接点５３、第２下部接点５２と調整ネジ４５の先端部４５ａの４点で弾性支持された状態を示している。なお、主走査方向Ｓ１に対向する他の保持部４１ａも同様である。
【００３８】
図８（ａ）に示した状態から、調整ネジ４５を締めることによって、図８（ｂ）に示すように、調整ネジ４５の先端部４５ａが第２バネ部５０の付勢力に抗して保持部４１ａの一端を押圧することで、副走査方向Ｓ２の中心部Ｏを支点としてミラー本体４１を副走査方向Ｓ２に所定の角度で傾斜保持させることが可能となる。また、前記調整ネジ４５を緩めることで、前記第２バネ部５０の付勢力によってミラー本体４１の傾きを元の状態又は前記傾斜させた方向と反対方向に傾斜させることができる。これによって、前記ミラー本体４１の反射面３１に前記原稿Ｐの読取面Ｐ１からの反射光Ｌ１を受ける角度を微調整することができる。なお、他の第２反射ミラーＭ２乃至第６反射ミラーＭ６については、前記第１反射ミラーＭ１を基準とした所定の取付位置や反射角度に予め設定されている。
【００３９】
前記角度調整保持手段４０を第１反射ミラーＭ１に設けたことによって、図２に示したように、原稿Ｐの読取面Ｐ１からの反射光の光軸が第１反射ミラーＭ１の有効反射領域Ｅ１から副走査方向にずれていた場合に、前記角度調整保持手段４０によって反射面３１の傾きを適宜変えることができる。また、前記角度調整保持手段４０を少なくとも第１反射ミラーＭ１に設けることによって、原稿面Ｐ１からの反射光Ｌ１が有効反射領域Ｅ１に入るような適正反射角度に調整することができ、イメージセンサの有効読取領域内に収まるような反射光路を設定することができる。
【００４０】
次に、前記第１反射ミラーＭ１における画像読取の判別方法について説明する。ここで、図９は反射減部３２を有しない従来の第１反射ミラーＭ１を備えた読取キャリッジの構成であり、図１０はこの構成によるイメージセンサの出力グラフを示したものである。また、図１１は本発明の反射減部３２を設けた第１反射ミラーＭ１を備えた読取キャリッジの構成であり、図１２はこの構成によるイメージセンサの出力グラフを示したものである。
【００４１】
図９に示したように、従来の第１反射ミラーＭ１にあっては、反射面の全面が一様な反射率を有する金属膜となっているため、原稿の読取面から反射されたＲＧＢの各色に対応するイメージセンサ８に向かう反射光の一部が反射面の副走査方向Ｓ２の端部にずれていても、図１０に示すように、有効読取領域内に入っているため、主走査方向に対する画像信号の出力レベルが０．６〜０．９の範囲となっており、正常な読取範囲での読み取りが行われている結果となっている。前記出力レベルは集光レンズ７を介してイメージセンサ８で読み取るため、主走査方向の中心が高く、両端部にいくにしたがって次第に低下すると共に、ＲＧＢの出力の基となる光源の周波数成分、イメージセンサ８の各色の受光感度等によってばらつきが生じるが、前記０．６〜０．９の範囲内であれば、適正に読み取られているといえる。
【００４２】
このように、原稿Ｐの読取面Ｐ１からの反射光Ｌ１が多少ずれていた場合であっても、有効読取領域内であればイメージセンサ８の出力レベルは正常範囲内となるが、この状態で読取キャリッジ６に大きな衝撃や振動が掛かったり、温度変化等が生じたりすると、第１反射ミラーＭ１の光軸がずれ、前記有効読取領域で読み取られた反射光のＲＧＢの成分のうちのいずれか一部が有効読取領域から外れていたとしても気づかないことがあり、正常に読み取られたものとして処理されてしまうおそれがあった。
【００４３】
これに対して、図１１に示すように、本発明の第１反射ミラーＭ１にあっては、反射面３１の有効反射領域Ｅ１の外側に拡張反射領域Ｅ２を設け、この拡張反射領域Ｅ２の一部に反射減部３２が設けられているため、原稿Ｐの読取面Ｐ１からの反射光Ｌ１の一部が前記有効読取領域から外れていることが容易に検知可能となっている。本実施形態では、原稿Ｐの読取面Ｐ１からの反射光Ｌ１が反射面３１の副走査方向Ｓ２の端部側にずれた場合、図１２に示すように、ＲＧＢのうち、最も端部で反射された青（Ｂｌｕｅ）信号の出力レベルが前記反射減部３２に対応する主走査方向Ｓ１の両端で他の赤緑（ＲＧ）信号の標準出力レベルに比べて急激に低下し、ゼロに近い状態となっていることが分かる。このような出力信号の急激な変化が検出されることで、原稿Ｐの読取面Ｐ１からの反射光が有効読取領域から外れ、読取不良を引き起こす可能性があるとの警告を発することができる。このような警告が発せられることによって、第１反射ミラーＭ１の反射面３１の中のどの領域で、読取面Ｐ１からの反射光Ｌ１を反射しているかを容易に知ることができる。
【００４４】
本発明では、図１１に示したように、原稿Ｐの読取面Ｐ１からの反射光Ｌ１が反射面３１の副走査方向Ｓ２の端部側にずれたことが判明した場合は、図８に示したように、調整ネジ４５を進退可能に締めたり緩めたりすることによって、ミラー本体４１を副走査方向Ｓ２に対して所定の角度に傾斜させることができる。これによって、原稿Ｐの読取面Ｐ１からの反射光Ｌ１が前記反射減部３２に掛からないように微調整することができる。
【００４５】
なお、イメージセンサ８での読取調整は、上記角度調整保持手段４０を用いて、直接前記第１反射ミラーＭ１の傾斜角度を微調整する方法と、イメージセンサ８の出力レベルをモニタしながら、原稿Ｐの読取面Ｐ１からの反射光Ｌ１が前記反射減部３２に掛からないように、イメージセンサ８が配置された基板１４の位置を調整する方法とを併用して行うことができる。
【符号の説明】
【００４６】
１  装置ハウジング
２  第１プラテン
３  第２プラテン
５  プラテンカバー
６  読取キャリッジ
７  集光レンズ
８  イメージセンサ
９  照明ユニット
９ａ，９ｂ  光源
１０  読取開口
１１  キャリッジフレーム
１２  ガイド部材
１３  ホルダ
１４  基板
２１  リードローラ
２２  搬出ローラ
２３  給紙スタッカ
２４  給紙ローラ
２５  レジストローラ対
２６  給紙経路
２７  バックアップローラ
２８  排紙ローラ
２９  排紙スタッカ
３０  光学部材
３１  反射面
３２  反射減部
３３  透明基材
３４  金属膜
４０  角度調整保持手段
４１  ミラー本体
４１ａ  保持部
４１ｂ  側面
４２  フレーム
４２ａ  対向面
４３  弾性部材
４４  開口部
４５  調整ネジ（押圧調整部材）
４５ａ  先端部
４６  取付部
４７  板バネ部
４８  スリット
４９  第１バネ部
５０  第２バネ部
５１  第１下部接点
５２  第２下部接点
５３  上部接点
５４  突起片
Ａ  画像読取ユニット
Ｂ  原稿給送ユニット
Ｅ１  有効反射領域
Ｅ２  拡張反射領域
Ｍ  反射ミラー群
Ｍ１  第１反射ミラー
Ｍ２  第２反射ミラー
Ｍ３  第３反射ミラー
Ｍ４  第４反射ミラー
Ｍ５  第５反射ミラー
Ｍ６  第６反射ミラー
Ｐ  原稿
Ｐ１  読取面
Ｓ１  主走査方向
Ｓ２  副走査方向
【図１】
2018085675.tif 000003
【図２】
2018085675.tif 000004
【図３】
2018085675.tif 000005
【図４】
2018085675.tif 000006
【図５】
2018085675.tif 000007
【図６】
2018085675.tif 000008
【図７】
2018085675.tif 000009
【図８】
2018085675.tif 000010
【図９】
2018085675.tif 000011
【図１０】
2018085675.tif 000012
【図１１】
2018085675.tif 000013
【図１２】
2018085675.tif 000014